(57)【要約】【課題】比較的安価に分岐部を有するワイヤーハーネス等の線状体を保護可能な線状体保護用ＵＶ硬化シートを得る。【解決手段】ＵＶ硬化シート１（紫外線照射前）を配置し、ワイヤーハーネス１１の分岐部１３が分岐線保持部１ｃ上、幹線部１２が幹線保持部１ｍ上に保持されるように配置する。そして、固定用折り返し部１ａ及び１ｂをそれぞれ折り返し、幹線保持部１ｍと固定用折り返し部１ａ及び１ｂとにより幹線部１２を挟み込む。その後、ＵＶ硬化シート１に対し紫外線を照射し、固定用折り返し部１ａ及び１ｂ並びに分岐部用折り返し部１ｃｘが折り返された状態でＵＶ硬化シート１を硬化状態にする。【選択図】図３
2013126264.tif 000002
【特許請求の範囲】
【請求項１】
幹線部及び幹線部から分岐される分岐部を有する分岐線状体を保護する分岐線状体保護用ＵＶ硬化シートであって、
前記幹線部を上方に配置して保持可能な幹線保持部と、
前記幹線保持部から分岐して形成され、前記分岐部を上方に配置して保持可能な分岐保持部と、
前記幹線保持部に連結して形成され、折り返すことにより前記幹線保持部の上方に配置され、前記幹線保持部と共に前記幹線部を挟み込み可能な固定用折り返し部とを備え、
前記幹線保持部、前記分岐保持部及び前記固定用折り返し部は紫外線照射前の変形可能状態であり、紫外線照射後は硬化状態を呈する、
分岐線状体保護用ＵＶ硬化シート。
【請求項２】
請求項１記載の分岐線状体保護用ＵＶ硬化シートであって、
前記固定用折り返し部は、
前記分岐保持部に対し平面視して対向する領域に互いに独立して形成される第１及び第２の固定用折り返し部を含み、
前記第１の固定用折り返し部は、折り返すことにより前記幹線保持部の第１の部分の上方に配置され、前記幹線保持部と共に前記幹線部の前記第１の部分にて挟み込み可能であり、
前記第２の固定用折り返し部は、折り返すことにより前記幹線保持部の前記第１の部分と異なる第２の部分の上方に配置され、前記幹線保持部と共に前記幹線部の前記第２の部分にて挟み込み可能である、
分岐線状体保護用ＵＶ硬化シート。
【請求項３】
請求項１あるいは請求項２記載の分岐線状体保護用ＵＶ硬化シートであって
前記分岐保持部は、その先端部分が前記第１及び第２の固定用折り返し部の折り返し方向と反対側に折り返し可能な分岐部用折り返し部をさらに含む、
分岐線状体保護用ＵＶ硬化シート。
【請求項４】
請求項２記載の分岐線状体保護用ＵＶ硬化シートであって、
前記幹線保持部を基準として前記固定用折り返し部と平面視対向する方向に連結して形成され、折り返すことにより前記幹線保持部の上方に配置され、前記幹線保持部と共に前記第１及び第２の部分間における幹線部をさらに挟み込み可能な保護用折り返し部をさらに備え、前記保護用折り返し部は紫外線照射前の変形可能状態であり、紫外線照射後は硬化状態を呈する、
分岐線状体保護用ＵＶ硬化シート。
【請求項５】
請求項１ないし請求項４のうち、いずれか１項に記載の分岐線状体保護用ＵＶ硬化シートであって、
前記分岐線状体は分岐部を有するワイヤーハーネスを含む、
分岐線状体保護用ＵＶ硬化シート。
【発明の詳細な説明】
【技術分野】
【０００１】
この発明は、分岐部を有するワイヤーハーネス等の分岐線状体を保護する分岐線状体保護用ＵＶ硬化シートに関する。
【背景技術】
【０００２】
一般に、車体や電気機器等に装着されるワイヤーハーネスはバッテリーや複数の電気回路に接続されるため、ワイヤーハーネスの所定箇所からワイヤーハーネス枝線を分岐して、他の電気回路に接続することにより、バッテリーや複数の電気回路を相互に接続するように構成されている。このため、ワイヤーハーネスを保持して車体や電気機器等に配設するプロテクタにはこのワイヤーハーネスの分岐部を保護するための分岐部材が設けられている。このような分岐部材を有するプロテクタとして例えば特許文献１に開示されたプロテクタがある。
【０００３】
図７は幹線部１２から分岐する分岐部１３を有するワイヤーハーネス１１を示す説明図である。図８は分岐部１３を有するワイヤーハーネス１１の分岐部１３近傍領域を保護する従来のプロテクタ１４を示す説明図である。同図に示すように、幹線部１２を側板１５，１６及び天板１７からなるプロテクタ１４の本体部で覆うとともに、側板１５から突出して形成される分岐部材２３内に分岐部１３を挿通させている。このように、従来は、分岐部材２３を有するプロテクタ１４によってワイヤーハーネス１１の分岐部１３及びその近傍の幹線部１２を保護していた。
【先行技術文献】
【特許文献】
【０００４】
【特許文献１】特開平１１−６９５５７号公報
【発明の概要】
【発明が解決しようとする課題】
【０００５】
しかしながら、ワイヤーハーネスにおける分岐部は多種多様であり、分岐部の形態毎に専用のプロテクタを設けることは、プロテクタ単位で設計工程及び金型起工を必要としてしまうことを考慮すると、開発費用が比較的高くなるというという問題点があった。
【０００６】
この発明は上記問題点を解決するためになされたもので、比較的安価に分岐部を有するワイヤーハーネス等の線状体を保護可能な線状体保護用ＵＶ硬化シートを得ることを目的とする。
【課題を解決するための手段】
【０００７】
この発明に係る請求項１記載の分岐線状体保護用ＵＶ硬化シートは、幹線部及び幹線部から分岐される分岐部を有する分岐線状体を保護する分岐線状体保護用ＵＶ硬化シートであって、前記幹線部を上方に配置して保持可能な幹線保持部と、前記幹線保持部から分岐して形成され、前記分岐部を上方に配置して保持可能な分岐保持部と、前記幹線保持部に連結して形成され、折り返すことにより前記幹線保持部の上方に配置され、前記幹線保持部と共に前記幹線部を挟み込み可能な固定用折り返し部とを備え、前記幹線保持部、前記分岐保持部及び前記固定用折り返し部は紫外線照射前の変形可能状態であり、紫外線照射後は硬化状態を呈する。
【０００８】
請求項２の発明は、請求項１記載の分岐線状体保護用ＵＶ硬化シートであって、前記固定用折り返し部は、前記分岐保持部に対し平面視して対向する領域に互いに独立して形成される第１及び第２の固定用折り返し部を含み、前記第１の固定用折り返し部は、折り返すことにより前記幹線保持部の第１の部分の上方に配置され、前記幹線保持部と共に前記幹線部の前記第１の部分にて挟み込み可能であり、前記第２の固定用折り返し部は、折り返すことにより前記幹線保持部の前記第１の部分と異なる第２の部分の上方に配置され、前記幹線保持部と共に前記幹線部の前記第２の部分にて挟み込み可能である。
【０００９】
請求項３の発明は、請求項１あるいは請求項２記載の分岐線状体保護用ＵＶ硬化シートであって前記分岐保持部は、その先端部分が前記第１及び第２の固定用折り返し部の折り返し方向と反対側に折り返し可能な分岐部用折り返し部をさらに含む。
【００１０】
請求項４の発明は、請求項２記載の分岐線状体保護用ＵＶ硬化シートであって、前記幹線保持部を基準として前記固定用折り返し部と平面視対向する方向に連結して形成され、折り返すことにより前記幹線保持部の上方に配置され、前記幹線保持部と共に前記第１及び第２の部分間における幹線部をさらに挟み込み可能な保護用折り返し部をさらに備え、前記保護用折り返し部は紫外線照射前の変形可能状態であり、紫外線照射後は硬化状態を呈する。
【００１１】
請求項５の発明は、請求項１ないし請求項４のうち、いずれか１項に記載の分岐線状体保護用ＵＶ硬化シートであって、前記分岐線状体は分岐部を有するワイヤーハーネスを含む。
【発明の効果】
【００１２】
請求項１記載の本願発明は、以下のようにして分岐線状体に固定することができる。分岐部が分岐線保持部上、幹線部が幹線保持部上に保持されるように配置した後、固定用折り返し部を折り返し、幹線保持部と固定用折り返し部とにより幹線部を挟み込む。その後、紫外線を照射し、固定用折り返し部が折り返された状態でＵＶ硬化シートを硬化状態にする。
【００１３】
その結果、硬化状態の固定用折り返し部と幹線保持部とにより幹線部を挟み込むことにより、本願発明の分岐線状体保護用ＵＶ硬化シートは分岐線状体から位置ズレすることなく固定されるため、硬化後の幹線保持部と固定用折り返し部とにより、分岐部近傍の幹線部を安定に保護するとともに、分岐保持部によって分岐部を安定に保護することができる。
【００１４】
さらに、幹線保持部や分岐線保持部の形成幅に余裕を持たせることにより、多様な分岐線状体に対して保護可能となるため、汎用性の高い分岐線状体保護用ＵＶ硬化シートを比較的安価に得ることができる。
【００１５】
請求項２記載の本願発明は、固定用折り返し部として、分岐保持部に対し平面視して対向する領域に互いに独立して形成される第１及び第２の固定用折り返し部を備えることにより、分岐線状体保護用ＵＶ硬化シートは分岐線状体から位置ズレすることなく精度良く固定されるため、より安定して分岐線状体の分岐部近傍を保護することができる。
【００１６】
請求項３記載の本願発明は、分岐部用折り返し部をさらに含むことにより、分岐部用折り返し部を折り曲げた後に紫外線照射して硬化することにより、分岐部と当該分岐線状体保護用ＵＶ硬化シートとの設置面との間に、分岐部用折り返し部による折り返し部分の距離を確保ができるため、設置面の表面状態によって分岐線状体が悪影響を受ける可能性を効果的に抑制することができる。
【００１７】
請求項４記載の本願発明は、保護用折り返し部をさらに備えることにより、保護用折り返し部を折り曲げた後に紫外線照射して硬化することにより、第１及び第２の部分間における幹線部の上方をも適切に保護することができる。
【００１８】
ワイヤーハーネス保護用ＵＶ硬化シートとして上述した請求項１〜請求項４記載の本願発明と同様な効果を達成することができる。
【図面の簡単な説明】
【００１９】
【図１】この発明の実施の形態１であるＵＶ硬化シートの構成を示す平面図である。
【図２】保護対象の線状体となるワイヤーハーネスを示す説明図である。
【図３】実施の形態１のＵＶ硬化シートによる分岐部を有するワイヤーハーネスの保護状態を示す平面図である。
【図４】実施の形態１のＵＶ硬化シート１による分岐部を有するワイヤーハーネスの保護状態を示す側面図である。
【図５】この発明の実施の形態２であるＵＶ硬化シート２の構成を示す平面図である。
【図６】実施の形態２のＵＶ硬化シートによる分岐部を有するワイヤーハーネスの保護状態を示す平面図である。
【図７】幹線部から分岐する分岐部を有するワイヤーハーネスを示す説明図である。
【図８】従来のプロテクタ構造を示す説明図である。
【発明を実施するための形態】
【００２０】
＜実施の形態１＞
図１はこの発明の実施の形態１であるＵＶ硬化シート１の構成を示す平面図である。同図に示すように、ＵＶ硬化シート１は幹線保持部１ｍと幹線保持部１ｍの上部及び下部から連結して図中右方向に延びる固定用折り返し部１ａ及び１ｂと幹線保持部１ｍの中心部から分岐して図中右方向に延びる分岐線保持部１ｃとから構成される。
【００２１】
したがって、固定用折り返し部１ａ及び１ｂは、分岐線保持部１ｃに対し平面視して対向する領域に互いに独立して形成されている。なお、ＵＶ硬化シート１の固定用折り返し部１ａ及び１ｂ、分岐線保持部１ｃ及び幹線保持部１ｍはいずれも紫外線照射前の変形可能状態として提供される。
【００２２】
固定用折り返し部１ａ，分岐線保持部１ｃ間にスリット部１ａｃ、固定用折り返し部１ｂ，分岐線保持部１ｃ間にスリット部１ｂｃが設けられているため、紫外線照射前状態時は固定用折り返し部１ａ及び１ｂはそれぞれ、幹線保持部１ｍとの連結部近傍領域から折り返して比較的容易に幹線保持部１ｍの上方に重なるように変形可能である。
【００２３】
また、分岐線保持部１ｃの先端の分岐部用折り返し部１ｃｘは固定用折り返し部１ａ及び１ｂと反対方向に折り返す部分として設けられる。
【００２４】
図２は保護対象の分岐線状体となるワイヤーハーネス１１を示す説明図である。同図に示すように、ワイヤーハーネス１１は幹線部１２と幹線部１２から分岐する分岐部１３を有している。
【００２５】
図３は実施の形態１のＵＶ硬化シート１による分岐部１３を有するワイヤーハーネス１１の保護状態を示す平面図である。図４は実施の形態１のＵＶ硬化シート１による分岐部１３を有するワイヤーハーネス１１の保護状態を示す側面図である。なお、図４は図１の着目領域１８における側面を示している。以下、図１〜図４を参照して、ＵＶ硬化シート１によるワイヤーハーネス１１に対する分岐部１３の保護形態を説明する。
【００２６】
まず、図１に示す様な平面上のＵＶ硬化シート１（紫外線照射前）を配置し、図３に示すように、ワイヤーハーネス１１の分岐部１３が分岐線保持部１ｃ上、幹線部１２が幹線保持部１ｍ上に保持されるように配置する。
【００２７】
そして、固定用折り返し部１ａ及び１ｂをそれぞれ折り返し、幹線保持部１ｍと固定用折り返し部１ａ及び１ｂとにより幹線部１２を挟み込む。さらに、図４に示すように、分岐部用折り返し部１ｃｘを固定用折り返し部１ａ及び１ｂと反対方向に折り返すことにより、車両における所定の設置面１０から分岐部１３への距離を確保する。
【００２８】
その後、ＵＶ硬化シート１に対し紫外線を照射し、固定用折り返し部１ａ及び１ｂ並びに分岐部用折り返し部１ｃｘが折り返された状態でＵＶ硬化シート１を硬化状態にする。この際、幹線保持部１ｍ、分岐線保持部１ｃも硬化状態となる。
【００２９】
その結果、分岐線保持部１ｃによって分岐部１３が保護されるとともに、固定用折り返し部１ａ及び１ｂ並びに幹線保持部１ｍによる挟み込みによって幹線部１２が保護される。
【００３０】
このように、実施の形態１の（分岐部１３を有するワイヤーハーネス１１保護用）ＵＶ硬化シート１は、折り返すことにより幹線保持部１ｍの上方に配置され、幹線保持部１ｍと共に幹線部１２を挟み込む可能な固定用折り返し部１ａ及び１ｂを備えているため、上記のように分岐部１３を有するワイヤーハーネス１１にＵＶ硬化シート１を固定することができる。
【００３１】
その結果、硬化後のＵＶ硬化シート１はワイヤーハーネス１１から位置ズレすることなく固定することができるため、硬化状態のＵＶ硬化シート１は、幹線保持部１ｍと固定用折り返し部１ａ及び１ｂとにより分岐部１３近傍の幹線部１２を安定して保護し、分岐線保持部１ｃにより分岐部１３を安定し保護することができる。なお、幹線部１２から分岐部１３が分岐する付け根部分１３ｒは特に電線等が露出する可能性が高く確実に保護する必要があるが、分岐部１３の付け根部分は分岐線保持部１ｃによって確実に保護されている。
【００３２】
さらに、幹線保持部１ｍや分岐線保持部１ｃの形成幅に余裕を持たせることにより、多様な分岐部を有するワイヤーハーネスに対応可能となるため、ＵＶ硬化シート１を汎用的に用いることができ、結果的に比較的安価な保護材としてＵＶ硬化シート１を提供することができる。
【００３３】
また、実施の形態１のＵＶ硬化シート１は、固定用折り返し部として、分岐線保持部１ｃに対し平面視して対向する領域に互いに独立して形成される固定用折り返し部１ａ及び１ｂを備えることにより、ＵＶ硬化シート１はワイヤーハーネス１１から位置ズレすることなく精度良く固定されるため、より安定してワイヤーハーネス１１の分岐部１３近傍を保護することができる。
【００３４】
すなわち、幹線保持部１ｍと共に幹線部１２の図３中上方の第１の部分にて挟み込み可能な（第１の）固定用折り返し部１ａと、幹線保持部１ｍと共に分岐部１３の図３中下方の第２の部分にて挟み込み可能な（第２の）固定用折り返し部１ｂとを備えることにより、２箇所で挟み込むことにより幹線部１２から位置ズレをより効果的に抑制することができる。
【００３５】
加えて、分岐線保持部１ｃは分岐部用折り返し部１ｃｘを有しており、分岐部用折り返し部１ｃｘを折り返した後に硬化状態にすることにより、分岐部１３と車両における所定の設置面１０（図４参照）との間に、分岐部用折り返し部１ｃｘによる折り返し部分の距離を確保ができるため、設置面１０の表面状態によってワイヤーハーネス１１の分岐部１３が悪影響を受ける可能性を効果的に抑制することができる。
【００３６】
＜実施の形態２＞
図５はこの発明の実施の形態２であるＵＶ硬化シート２の構成を示す平面図である。同図に示すように、ＵＶ硬化シート２はさらに幹線保持部１ｍを基準として固定用折り返し部１ａ及び１ｂ並びに分岐線保持部１ｃと反対方向に延長する方向で幹線保持部１ｍから連結して保護用折り返し部１ｍｘが形成されている。この保護用折り返し部１ｍｘは折り返すことにより幹線保持部１ｍの上方に配置され、幹線保持部１ｍと共に固定用折り返し部１ａ及び１ｂ間を含む幹線部１２を挟み込み可能である。他の部分は図１で示した実施の形態１と同様であるため説明を省略する。
【００３７】
図６は実施の形態２のＵＶ硬化シート２による分岐部１３を有するワイヤーハーネス１１の保護状態を示す平面図である。以下、図５及び図６を参照して、ＵＶ硬化シート２によるワイヤーハーネス１１の保護機能を説明する。
【００３８】
まず、図５に示す様な平面上のＵＶ硬化シート２（紫外線照射前）を配置し、図６に示すように、ワイヤーハーネス１１の分岐部１３が分岐線保持部１ｃ上、幹線部１２が幹線保持部１ｍ上に保持されるように配置する。
【００３９】
そして、固定用折り返し部１ａ及び１ｂをそれぞれ折り返し、幹線保持部１ｍと固定用折り返し部１ａ及び１ｂとにより幹線部１２を挟み込む。さらに、図４に示すように、分岐部用折り返し部１ｃｘを固定用折り返し部１ａ及び１ｂと反対方向に折り返すことにより、車両における所定の設置面１０から分岐部１３への距離を確保している。
【００４０】
加えて、保護用折り返し部１ｍｘを折り返し、幹線保持部１ｍと保護用折り返し部１ｍｘとによりさらに幹線部１２を挟み込む。
【００４１】
その後、ＵＶ硬化シート２に対し紫外線を照射し、固定用折り返し部１ａ及び１ｂ並びに保護用折り返し部１ｍｘが折り返された状態でＵＶ硬化シート２を硬化状態にする。
【００４２】
その結果、分岐線保持部１ｃによって分岐部１３が保護されるとともに、固定用折り返し部１ａ及び１ｂ、幹線保持部１ｍ並びに保護用折り返し部１ｍｘによって挟み込むことにより幹線部１２が保護され、保護用折り返し部１ｍｘによって分岐部１３の付け根部分１３ｒが保護される。
【００４３】
このように、実施の形態２のＵＶ硬化シート２は、保護用折り返し部１ｍｘをさらに備え、保護用折り返し部１ｍｘを折り返した後に硬化状態にすることにより、幹線部１２から位置ズレすることなく第１及び第２の部分間を含む幹線部の上方を保護用折り返し部１ｍｘによって効果的に保護することができる。
【００４４】
さらに、保護用折り返し部１ｍｘの幅を広くすることにより分岐部１３の付け根部分１３ｒをも保護することができる。
【００４５】
なお、本実施の形態では、分岐線状体として分岐部１３を有するワイヤーハーネス１１を例に挙げたが、これに限らず分岐部を有する分岐線状体全般において本発明を適用可能である。
【符号の説明】
【００４６】
１，２  ＵＶ硬化シート
１ａ，１ｂ  固定用折り返し部
１ｃ  分岐線保持部
１ｃｘ  分岐部用折り返し部
１ｍ  幹線保持部
【図１】
2013126264.tif 000003
【図２】
2013126264.tif 000004
【図３】
2013126264.tif 000005
【図４】
2013126264.tif 000006
【図５】
2013126264.tif 000007
【図６】
2013126264.tif 000008
【図７】
2013126264.tif 000009
【図８】
2013126264.tif 000010